(57)【要約】【課題】  本発明は上記問題点に鑑みて成されたものであり、洗浄ノズルの下面を含めた全周を洗浄する人体局部洗浄装置を提供することを目的とする。【解決手段】  人体局部を洗浄するお尻洗浄ノズル１０及びビデ洗浄ノズル２０と、各洗浄ノズル１０、２０を収納するノズルガイド３０と、各洗浄ノズル１０、２０を待機位置と洗浄位置との間を進退させる駆動部４０とを備え、ノズルガイド３０は、ノズルガイド３０の全周に亘り設けられるとともに、お尻洗浄ノズル１０及びビデ洗浄ノズル２０とノズルガイド３０との間に各洗浄ノズル１０、２０を洗浄する清掃水が流れる隙間Ｓ３、Ｓ４を形成するお尻ガイド用溝１３及びビデガイド用溝２３を有し、清掃水が、ノズルガイド３０内に清掃水を供給する給水口５０が設けられたお尻ガイド用溝１３及びビデガイド用溝２３をお尻洗浄ノズル１０及びビデ洗浄ノズル２０の周方向Ｃに沿って流れる構成である。【選択図】  図４
2013072197.tif 000002
【特許請求の範囲】
【請求項１】
人体局部を洗浄する洗浄ノズルと、
中空形状を有するとともに前記洗浄ノズルを収納するノズルガイドと、
前記洗浄ノズルを前記ノズルガイドに収納した待機位置と前記人体局部側へ前記洗浄ノズルを前進させた洗浄位置との間を進退させる駆動部と、
を備える人体局部洗浄装置であって、
前記ノズルガイドは、前記ノズルガイドの全周に亘り設けられるとともに、前記洗浄ノズルと前記ノズルガイドとの間に前記洗浄ノズルを洗浄する清掃水が流れる空隙を形成する溝を有し、
前記溝は、前記溝内に前記清掃水を供給する給水口が設けられ、
前記清掃水は、前記洗浄ノズルの周方向に沿って前記溝を流れることを特徴とする人体局部洗浄装置。
【請求項２】
前記洗浄ノズルは、お尻洗浄ノズルとビデ洗浄ノズルとからなり、
前記ノズルガイドは、前記お尻洗浄ノズルと前記ビデ洗浄ノズルとを仕切って収納する請求項１に記載の人体局部洗浄装置。
【請求項３】
前記給水口は、前記お尻洗浄ノズルに前記清掃水を供給するお尻洗浄ノズル用給水口と、前記ビデ洗浄ノズルに前記清掃水を供給するビデ洗浄ノズル用給水口と、を有する請求項２に記載の人体局部洗浄装置。
【請求項４】
前記駆動部は、前記お尻洗浄ノズル及び前記ビデ洗浄ノズルの洗浄時に前記お尻洗浄ノズル及び前記ビデ洗浄ノズルを進退させる請求項３に記載の人体局部洗浄装置。
【発明の詳細な説明】
【技術分野】
【０００１】
本発明は、人体局部を洗浄する人体局部洗浄装置に関するものである。
【背景技術】
【０００２】
従来、人体局部洗浄装置として種々のものが提案されている。例えば、便器に搭載される基部に洗浄ノズルが装備され、洗浄ノズルの上方から洗浄ノズルの上面及び左右方向側面に向けて清掃水を噴射する清掃水噴射体を有するものがある（例えば特許文献１参照）。
【先行技術文献】
【特許文献】
【０００３】
【特許文献１】特開２００９−７８４９号公報
【発明の概要】
【発明が解決しようとする課題】
【０００４】
しかしながら、特許文献１の人体局部洗浄装置では、清掃水噴射体が洗浄ノズルの上方に設けられ、清掃水を洗浄ノズルの上方から噴射する。これにより、洗浄ノズルの下面には清掃水が噴射されず、洗浄ノズルの下面を十分に洗浄できない問題がある。
【０００５】
本発明は上記問題点に鑑みて成されたものであり、洗浄ノズルの下面を含めた全周を洗浄する人体局部洗浄装置を提供することを目的とする。
【課題を解決するための手段】
【０００６】
本発明の第１の課題解決手段は、人体局部を洗浄する洗浄ノズルと、中空形状を有するとともに前記洗浄ノズルを収納するノズルガイドと、前記洗浄ノズルを前記ノズルガイドに収納した待機位置と前記人体局部側へ前記洗浄ノズルを前進させた洗浄位置との間を進退させる駆動部と、を備える人体局部洗浄装置であって、前記ノズルガイドは、前記ノズルガイドの全周に亘り設けられるとともに、前記洗浄ノズルと前記ノズルガイドとの間に前記洗浄ノズルを洗浄する清掃水が流れる空隙を形成する溝を有し、前記溝は、前記溝内に前記清掃水を供給する給水口が設けられ、前記清掃水は、前記洗浄ノズルの周方向に沿って前記溝を流れることを特徴とする構成である。
【０００７】
本発明の第２の課題解決手段は、前記洗浄ノズルは、お尻洗浄ノズルとビデ洗浄ノズルとからなり、前記ノズルガイドは、前記お尻洗浄ノズルと前記ビデ洗浄ノズルとを仕切って収納する構成である。
【０００８】
本発明の第３の課題解決手段は、前記給水口は、前記お尻洗浄ノズルに前記清掃水を供給するお尻洗浄ノズル用給水口と、前記ビデ洗浄ノズルに前記清掃水を供給するビデ洗浄ノズル用給水口と、を有する構成である。
【０００９】
本発明の第４の課題解決手段は、前記駆動部は、前記お尻洗浄ノズル及び前記ビデ洗浄ノズルの洗浄時に前記お尻洗浄ノズル及び前記ビデ洗浄ノズルを進退させる構成である。
【発明の効果】
【００１０】
本発明の人体局部洗浄装置では、洗浄ノズルとノズルガイドとの間に清掃水が流れる空隙を形成する溝がノズルガイドの全周に亘り設けられ、清掃水は溝内を洗浄ノズルの周方向に沿って流れる。これにより、溝に設けられる給水口から供給される清掃水が洗浄ノズルの下面を含めて全周に亘り流れる為、洗浄ノズルに付着した汚れを下面を含めた全周に亘り洗浄することができる。ここで、「周方向」は、洗浄ノズルの長手方向を中心軸とした円周方向を意味する。
【００１１】
また、人体局部洗浄装置を両方のノズルを備えた構成にも適用することができる。また、ノズルガイドに収納されたお尻洗浄ノズルとビデ洗浄ノズルは、ノズルガイド内で仕切られている為、ノズル洗浄時にお尻洗浄ノズルに付着した汚れがビデ洗浄ノズルに飛散することがなく、ビデ洗浄ノズルの清潔性を向上することができる。
【００１２】
また、給水口がお尻洗浄ノズル用給水口及びビデ洗浄ノズル用給水口を有する為、一つの給水口から、お尻洗浄ノズル及びビデ洗浄ノズルに清掃水を供給できる。これにより、各ノズルへ清掃水を供給する構造を簡単化することができる。
【００１３】
また、お尻洗浄ノズル及びビデ洗浄ノズルの洗浄時に、駆動部によりお尻洗浄ノズル及びビデ洗浄ノズルを進退させて、ノズルガイドの溝内を移動させることができる。これにより、お尻洗浄ノズル及びビデ洗浄ノズルを進退方向において広範囲に洗浄することができる。
【図面の簡単な説明】
【００１４】
【図１】本発明の人体局部洗浄装置を説明する斜視図である。
【図２】ノズルガイドの正面図である。
【図３】本発明の実施形態を示すＡ−Ａ断面図である。
【図４】本発明の実施形態を示すＢ−Ｂ断面の説明図である。
【発明を実施するための形態】
【００１５】
以下に本発明の実施形態を図面に基づいて詳細に説明する。
【００１６】
図１は、本発明の人体局部洗浄装置１を説明する斜視図である。人体局部洗浄装置１は、ユニットケース２と、お尻洗浄ノズル１０（洗浄ノズル）と、ビデ洗浄ノズル２０（洗浄ノズル）と、駆動部４０と、を備えている。
【００１７】
尚、以降において、ノズルの長手方向を中心軸とした円周方向を「周方向Ｃ」と称する。
【００１８】
ユニットケース２は、図１に示されるように縦長形状で、図中右下が便器の内部側、図中左上が便器の後部側となっている。ユニットケース２には、ノズルガイド３０が設けられ、ノズルガイド３０は、長手方向に並行して延びる２つの中空形状のお尻洗浄ノズル用ガイド１１とビデ洗浄ノズル用ガイド２１を有する。また、お尻洗浄ノズル用ガイド１１及びビデ洗浄ノズル用ガイド２１は、長手方向に延びる仕切り壁３１により空間が仕切られている。また、お尻洗浄ノズル用ガイド１１とビデ洗浄ノズル用ガイド２１は上下方向において上からビデ洗浄ノズル用ガイド２１、お尻洗浄ノズル用ガイド１１の順に併設される。また、ノズルガイド３０は、後方から前方に向かって斜め下方に傾けて設けられる。
【００１９】
お尻洗浄ノズル１０及びビデ洗浄ノズル２０は、お尻洗浄ノズル用ガイド１１及びビデ洗浄ノズル用ガイド２１に沿って進退方向Ｌに延びる略筒状である。また、お尻洗浄ノズル１０及びビデ洗浄ノズル２０の前方先端上面には略円形の噴出口（図略）が形成されて、人体局部を洗浄する洗浄水を噴出する。お尻洗浄ノズル１０及びビデ洗浄ノズル２０は、お尻洗浄ノズル用ガイド１１及びビデ洗浄ノズル用ガイド２１の内部に進退可能に収納され、図１においては後退して待機位置に収納されている。ノズルガイド３０の前方先端右側面には、上下方向略中央位置に右方向に延びる略筒状の給水口５０が設けられる。そして、清掃水を貯留した清掃水タンク（図略）からホース（図略）を介して給水口５０へ清掃水が供給され、清掃水がノズルガイド３０の内部に供給される。供給された清掃水は、ノズルガイド３０の内部からお尻洗浄ノズル用ガイド１１及びビデ洗浄ノズル用ガイド２１の開口１２、２２から流出する。
【００２０】
駆動部４０は、お尻洗浄ノズル１０及びビデ洗浄ノズル２０の前進後退動作を駆動するものである。駆動部４０は、お尻洗浄ノズル用モータ４２と、ビデ洗浄ノズル用モータ４１と、ビデ用第１ギヤ４３と、ビデ用第２ギヤ４４と、お尻用ギヤ（図略）とで構成されている。なお、本実施例では、お尻洗浄ノズル用モータ４２及びビデ洗浄ノズル用モータ４１には、例えばステッピングモータを使用する。ビデ洗浄ノズル用モータ４１は、ノズルガイド３０の進退方向Ｌの略中央の位置のユニットケース２に設けられる。ビデ洗浄ノズル用モータ４１の出力軸には、ビデ用第１ギヤ４３とビデ用第２ギヤ４４が設けられる。なお、本実施例では、ビデ用第１ギヤ４３、ビデ用第２ギヤ４４、お尻用ギヤには、例えばピニオンギヤを使用する。また、お尻洗浄ノズル用モータ４２は、ビデ洗浄ノズル用モータ４１の位置より進退方向Ｌの前方側のユニットケース２に設けられる。お尻洗浄ノズル用モータ４２の出力軸には、お尻用ギヤが設けられる。そして、ビデ洗浄ノズル用モータ４１及びお尻洗浄ノズル用モータ４２の出力軸が回転することにより、お尻洗浄ノズル１０及びビデ洗浄ノズル２０は人体局部を洗浄する洗浄位置に向かって前進し、出力軸が逆回転すると洗浄ノズル用ガイド１１及びビデ洗浄ノズル用ガイド２１内に後退して待機位置に収納されるように構成されている。
【００２１】
また、進退方向Ｌ後方のお尻洗浄ノズル１０の左側面には、お尻洗浄ノズル１０に洗浄水を供給するお尻洗浄ノズル用給水部１６が設けられる。同様に、進退方向Ｌ後方のビデ洗浄ノズル２０の左側面には、ビデ洗浄ノズル２０に洗浄水を供給するビデ洗浄ノズル用給水部２６が設けられる。また、お尻洗浄ノズル用給水部１６にお尻用給水ホース（図略）が配設され、ビデ洗浄ノズル用給水部２６にビデ用給水ホース２７が配設される。そして、洗浄水を貯留する洗浄水タンク（図略）から洗浄水が、お尻用給水ホース内を流れてお尻洗浄ノズル用給水部１６からお尻洗浄ノズル１０に供給される。同様に、洗浄水タンクから洗浄水が、ビデ用給水ホース２７内を流れてビデ洗浄ノズル用給水部２６からビデ洗浄ノズル２０に供給される。
【００２２】
お尻洗浄ノズル用給水部１６に曲げて配設されるお尻用給水ホースは、元の形状に戻る力が働くことにより、お尻用給水ホースに上方向へ力Ｆ１が働き、お尻洗浄ノズル用給水部１６にも上方向に力Ｆ１が生じる。同様に、ビデ洗浄ノズル用給水部２６に曲げて配設されるビデ用給水ホース２７は、元の形状に戻る力が働くことにより、ビデ用給水ホース２７に上方向へ力Ｆ２が働き、ビデ洗浄ノズル用給水部２６にも上方向に力Ｆ２が生じる。そして、力Ｆ１、Ｆ２によりお尻洗浄ノズル１０及びビデ洗浄ノズル２０の周方向Ｃに回転する動作が生じる。なお、周方向Ｃは、お尻洗浄ノズル１０及びビデ洗浄ノズル２０の進退方向Ｌを中心軸とした円周方向である。
【００２３】
また、お尻洗浄ノズル用ガイド１１の左側面に進退方向Ｌに延びるお尻洗浄ノズル用ガイド穴（図略）が設けられる。また、ビデ洗浄ノズル用ガイド２１の左側面に進退方向Ｌに延びるビデ洗浄ノズル用ガイド穴（図略）が設けられる。お尻洗浄ノズル用給水部１６は、お尻洗浄ノズル用給水部１６の上下面がお尻洗浄ノズル用ガイド穴内を円滑に摺動できる最小限の隙間をもって係合している。そして、お尻洗浄ノズル１０が進退方向Ｌに移動すると、お尻洗浄ノズル用給水部１６は進退方向Ｌにおいてお尻洗浄ノズル用ガイド穴内を移動する。同様に、ビデ洗浄ノズル用給水部２６は、ビデ洗浄ノズル用給水部２６の上下面がビデ洗浄ノズル用ガイド穴内を円滑に摺動できる最小限の隙間をもって係合している。そして、ビデ洗浄ノズル２０が進退方向Ｌに移動すると、ビデ用給水部２６は進退方向Ｌにおいてビデ洗浄ノズル用ガイド穴内を移動する。
【００２４】
また、移動時のお尻洗浄ノズル１０は、お尻洗浄ノズル用モータ４２の出力軸及びお尻用ギヤの回転により左方向に押される力を受ける。同様に、移動時のビデ洗浄ノズル２０は、ビデ洗浄ノズル用モータ４１の出力軸、ビデ用第１ギヤ４３、ビデ用第２ギヤ４４の回転により左方向に押される力を受ける。
【００２５】
図２は、ノズルガイド３０の正面図である。お尻洗浄ノズル用ガイド１１の開口部１２には、上下方向に突出するお尻用第１突出部１４及び左右方向に突出するお尻用第２突出部１５が形成される。お尻洗浄ノズル用ガイド１１に収納されるお尻洗浄ノズル１０は、お尻洗浄ノズル１０の上下面がお尻用第１突出部１４と接触する。これにより、お尻洗浄用ノズル給水部１６に加わる力Ｆ１による図中反時計周りの回転動作を抑制し、回転によるお尻洗浄ノズル１０のガタの発生を防いでいる。また、左右方向においてお尻洗浄ノズル１０の左側面がお尻用第２突出部１５に接触する。これにより、お尻洗浄ノズル用モータ４２の出力軸及びお尻用ギヤの回転によるお尻洗浄ノズル１０の左方向への移動を抑制し、お尻洗浄ノズル１０の左右方向へのガタの発生を防いでいる。
【００２６】
同様に、ビデ洗浄ノズル用ガイド２１の開口部２２には、上下方向に突出するビデ用第１突出部２４及び左右方向に突出するビデ用第２突出部２５が形成される。ビデ洗浄ノズル用ガイド２１に収納されるビデ洗浄ノズル２０は、ビデ洗浄ノズル２０の上下面がビデ用第１突出部２４と接触する。これにより、ビデ洗浄用ノズル給水部２６に加わる力Ｆ２による図中反時計周りの回転を抑制し、回転によるビデ洗浄ノズル２０のガタの発生を防いでいる。また、左右方向においてビデ洗浄ノズル２０の左側面がビデ用第２突出部２５に接触する。これにより、ビデ洗浄ノズル用モータ４１の出力軸、ビデ用第１ギヤ４３、ビデ用第２ギヤ４４の回転によるビデ洗浄ノズル２０の左方向への移動を抑制し、ビデ洗浄ノズル２０の左右方向へのガタの発生を防いでいる。
【００２７】
また、お尻洗浄ノズル用ガイド１１とお尻洗浄ノズル１０との間には隙間Ｓ１が形成される。お尻洗浄ノズル用ガイド１１とお尻洗浄ノズル１０の上面との幅Ｄ１は０．３ｍｍであり、お尻洗浄ノズル１０の下面との幅Ｄ２は０．２ｍｍである。同様に、ビデ洗浄ノズル用ガイド２１とビデ洗浄ノズル２０間には隙間Ｓ２が形成される。ビデ洗浄ノズル用ガイド２１とビデ洗浄ノズル２０の上面との幅Ｄ３は０．３ｍｍであり、ビデ洗浄ノズル２０の下面との幅Ｄ４は０．２ｍｍである。給水口５０から供給される清掃水は、お尻洗浄ノズル用ガイド１１及びビデ洗浄ノズル用ガイド２１の内部を流れて開口部１２及び開口部２２の隙間Ｓ１及び隙間Ｓ２から流出し、便器の内部に流れる。
【００２８】
図３は、図２のノズルガイド３０の前方向先端部のＡ−Ａ断面図である。お尻洗浄ノズル用ガイド１１の内周には、全周に亘りお尻ガイド用溝１３（溝）が設けられる。そして、お尻ガイド用溝１３とお尻洗浄ノズル１１とは、全周に亘り距離Ｈ１の間隔である隙間Ｓ３（空隙）が形成され、距離Ｈ１は０．５ｍｍである。また、お尻ガイド用溝１３は、待機位置のお尻洗浄ノズル１０の噴出口（図略）を覆う位置に形成される。同様に、ビデ洗浄ノズル用ガイド２１の内周には、全周に亘りビデガイド用溝２３（溝）が設けられる。そして、ビデガイド用溝２３とビデ洗浄ノズル２１とは、全周に亘り距離Ｈ２の間隔である隙間Ｓ４（空隙）が形成され、距離Ｈ２は０．５ｍｍである。また、ビデガイド用溝２３は、待機位置のビデ洗浄ノズル２０の噴出口（図略）を覆う位置に形成される。また、お尻用第１突出部１４及びお尻用第２突出部１５は、お尻洗浄ノズル用ガイド１１の前面とお尻ガイド用溝１３の間において、お尻洗浄ノズル用ガイド１１の内周に設けられる。また、ビデ用第１突出部２４及びビデ用第２突出部２５は、ビデ洗浄ノズル用ガイド２１の前面とビデガイド用溝２３の間において、ビデ洗浄ノズル用ガイド２１の内周に設けられる。
【００２９】
給水口５０の内部には、お尻洗浄ノズル用給水口５１及びビデ洗浄ノズル用給水口５２がノズルガイド３０に貫設されている。お尻洗浄ノズル用給水口５１は、お尻洗浄ノズル用ガイド１１のお尻ガイド用溝１３に貫設され、ビデ洗浄ノズル用給水口５２は、ビデ洗浄ノズル用ガイド２１のビデガイド用溝２３に貫設される。
【００３０】
図４は、図３のＢ−Ｂ断面図の説明図である。給水口５０の内部には、右方向に延びる略矩形板状の分岐壁５３がノズルガイド３０に設けられる。分岐壁５３は、上下方向において、お尻洗浄ノズル用給水口５１とビデ洗浄ノズル用給水口５２との間に設けられる。そして、清掃水タンクからホース６０内を流れて供給される清掃水は、給水口５０内の分岐壁５３により分けられて流路Ａ、Ｂを通る２つの水流を形成する。ここで、給水口５０と分岐壁５３の上面との距離Ｄ５とお尻洗浄ノズル用給水口５１の幅Ｄ５は等しく設定される。また、給水口５０と分岐壁５３の下面との距離Ｄ６とビデ洗浄ノズル用給水口５２の幅Ｄ６は等しく設定される。さらに、Ｄ５、Ｄ６は等しく設定されており、流路Ａ、Ｂを流れる清掃水の流量は１対１の関係にある。また、お尻洗浄ノズル用給水口５１はお尻ガイド用溝１３の上端右側面に設けれ、ビデ洗浄ノズル用給水口５２はビデガイド用溝２３の下端右側面に設けられる。
【００３１】
次に人体局部洗浄装置１の動作、作用について説明する。
【００３２】
人体局部洗浄装置１による洗浄開始時において、お尻洗浄ノズル１０及びビデ洗浄ノズル２０は、ノズルガイド３０に待機位置にて収納された状態である。そして、洗浄を開始すると清掃水タンクから清掃水がホース６０内を流れて給水口５０に供給される。そして、供給された清掃水が分岐壁５３により２つの水流に分けられて流路Ａ、Ｂを通る。流路Ａ、Ｂには等しい流量の清掃水が流れ、お尻洗浄ノズル用給水口５１及びビデ洗浄ノズル用給水口５２を通り、お尻ガイド用溝１３及びビデガイド用溝２３へ供給される。また、給水口５０と分岐壁５３によって形成される流路Ａ、Ｂを流れることにより、お尻洗浄ノズル１０の上面及びビデ洗浄ノズル２０の下面を沿うように流れる直線状の水流Ａ１及びＢ１が形成される。
【００３３】
水流Ａ１は、お尻ガイド用溝１３内を図中時計回りに流れる。つまり、水流Ａ１は、お尻洗浄ノズル１０の周方向Ｃに沿って流れることにより、お尻洗浄ノズル１０の上下面及び左右方向側面に付着した汚れを取る流れとなる。また、水流Ａ１から分流して図中反時計回りに流れる水流Ａ２が形成される。水流Ａ２は、重力により下方に落ちることで形成されるか、もしくはお尻ガイド用溝１３内が清掃水で満たされた後に形成される。この水流Ａ２も、お尻洗浄ノズル１０に付着した汚れを取る流れとなる。
【００３４】
水流Ｂ１は、ビデガイド用溝２３内を図中反時計回りに流れる。つまり、水流Ｂ１は、ビデ洗浄ノズル２０の周方向Ｃに沿って流れることにより、ビデ洗浄ノズル２０の上下面及び左右方向側面に付着した汚れを取る流れとなる。また水流Ｂ１から分流して図中時計回りに流れる水流Ｂ２が形成される。水流Ｂ２は、ビデガイド用溝２３内が清掃水で満たされた後に形成され、ビデ洗浄ノズル２０に付着した汚れを取る流れとなる。これらの水流Ａ１、Ａ２、Ｂ１、Ｂ２は、お尻ガイド用溝１３及びビデガイド用溝２３内を流れた後、ノズルガイド３０の内部を進退方向Ｌ前方に流れて、ノズルガイド３０の開口部１２、２２から流出し、便器内部に流れる。また、お尻洗浄ノズル１０及びビデ洗浄ノズル２０の洗浄時において、お尻洗浄ノズル１０及びビデ洗浄ノズル２０を前進させる。この前進により、待機位置においてお尻ガイド用溝１３及びビデガイド用溝２３よりも進退方向Ｌ後方に収納されたお尻洗浄ノズル１０及びビデ洗浄ノズル２０を洗浄する。
【００３５】
以上詳述したように、本発明の実施形態によれば、以下に示す効果が得られるようになる。
【００３６】
（１）本発明の人体局部洗浄装置では、お尻洗浄ノズル１０とお尻洗浄ノズル用ガイド１１との間にお尻ガイド用溝１３が設けられ、ビデ洗浄ノズル１１とビデ洗浄ノズル用ガイド２１との間にビデガイド用溝２３が設けられる。そして、給水口５０から供給される清掃水が、お尻ガイド用溝１３及びビデガイド用溝２３内をお尻洗浄ノズル１０及びビデ洗浄ノズル２０の周方向Ｃに沿って流れる。これにより、清掃水は、お尻洗浄ノズル１０及びビデ洗浄ノズル２０の上下面及び左右方向側面に沿って流れる為、お尻洗浄ノズル１０及びビデ洗浄ノズル２０に付着した汚れを下面を含めた全周に亘り洗浄することができる。
【００３７】
（２）人体局部洗浄装置１をお尻洗浄ノズル１０とビデ洗浄ノズル２０の両方のノズルを備えた構成にも適用することができる。また、ノズルガイド３０に収納されたお尻洗浄ノズル１０及びビデ洗浄ノズル２０は、お尻洗浄ノズル用ガイド１１及びビデ洗浄ノズル用ガイド２１に収納される為、ノズル洗浄時に、お尻洗浄ノズル１０に付着した汚れがビデ洗浄ノズル２０に飛散することがなく、ビデ洗浄ノズル２０の清潔性を向上することができる。
【００３８】
（３）給水口５０がお尻洗浄ノズル用給水口５１及びビデ洗浄ノズル用給水口５２を有する為、一つの給水口５０から、お尻洗浄ノズル１０及びビデ洗浄ノズル２０に清掃水を供給できる。これにより、お尻洗浄ノズル１０及びビデ洗浄ノズル２０へ清掃水を供給する構造を簡単化することができる。
【００３９】
（４）お尻洗浄ノズル１０及びビデ洗浄ノズル２０の洗浄時に、駆動部４０によりお尻洗浄ノズル１０及びビデ洗浄ノズル２０を進退させて、お尻ガイド用溝１３及びビデガイド用溝２３内を移動させることができる。これにより、お尻洗浄ノズル１０及びビデ洗浄ノズル２０を進退方向Ｌの広範囲に亘って洗浄することができる。
【００４０】
本発明は上記実施形態に限定されることはなく、本発明の範囲内において種々の変形例を採用することができる。例えば、上記実施形態では、ノズルガイド３０の先端右側面には、右方向に延びる略筒状の給水口５０が設けられるが、ノズルガイド３０の先端左側面に給水口５０を設けてもよい。この場合にも上記実施形態の各効果に準じた効果を奏することができる。また、ノズルガイド３０は、上下方向においてビデ洗浄ノズル用ガイド２１、お尻洗浄ノズル用ガイド１１が併設されるが、左右方向において併設してもよい。さらに、この場合において、給水口５０はノズルガイド３０の先端上面もしくは先端下面に設ける。この場合にも上記実施形態の各効果に準じた効果を奏することができる。
【符号の説明】
【００４１】
１  人体局部洗浄装置
１０  お尻洗浄ノズル（洗浄ノズル）
１１  お尻洗浄ノズル用ガイド
１３  お尻ガイド用溝（溝）
２０  ビデ洗浄ノズル（洗浄ノズル）
２１  ビデ洗浄ノズル用ガイド
２３  ビデガイド用溝（溝）
３０  ノズルガイド
４０  駆動部
５０  給水口
５１  お尻洗浄ノズル用給水口
５２  ビデ洗浄ノズル用給水口
Ｓ３、Ｓ４  隙間（空隙）
Ｃ  周方向
【図１】
2013072197.tif 000003
【図２】
2013072197.tif 000004
【図３】
2013072197.tif 000005
【図４】
2013072197.tif 000006